(57)【特許請求の範囲】
【請求項１】
フランジ部を有するトレー容器に被せて使用されるトレー容器用簡易蓋であって、前記フランジ部の外周とほぼ同形の天面部とその両側に折れ線を介してそれぞれ連設された折り曲げ部とからなり、前記折れ線の中央部分には、前記トレー容器に被せた時に前記フランジ部の外周に対応する線に沿って左右切り込みを設け、前記折り曲げ部には、前記左右切り込みの両端は、前記フランジ部の外周に対応する線より前記折り曲げ部が一部分内側に入り込むように短い内方に膨らむ円弧状の切り込みによる引っ掛け部となっており、前記折り曲げ部を下向きに折り曲げた時に前記引っ掛け部が前記トレー容器の前記フランジを係止するような全体としての前記左右切り込みが末広がりのコの字状であることを特徴とするトレー容器用簡易蓋。
【請求項２】
前記天面部において、前記トレー容器の前記フランジ部の上下端と対応する位置に、上下切り込みを設け、該上下切り込みの中央部に内側方向に向かった半円状の係止片を設けた形状であることを特徴とする請求項１に記載のトレー容器用簡易蓋。
【発明の詳細な説明】
【０００１】
【発明の属する技術分野】
本発明は、フランジ付きのトレー容器に簡易的に被せるのに使用されるトレー容器用簡易蓋に関するものである。
【０００２】
【従来の技術】
従来より、紙製あるいはプラスチック製のフランジ付きのトレー容器は、惣菜などの食品などに広く使用されている。このトレー容器の蓋としては、密封する場合には、熱シールによるシール蓋が多く使用されている。簡易的な蓋を使用するテイクアウト用などの用途では、平らな板状の蓋を使用しゴムバンドで止める方法、あるいは専用の被せ蓋を使用している。
【０００３】
【発明が解決しようとする課題】
しかしながら、平らな板状の蓋を使用しゴムバンドで止める方法は、手間がかかり、不安定であるという問題がある。また、専用の被せ蓋は、製造コストが高くなるという問題がある。従って、簡単に被せることができ、見た目がよく、持ち運びができる形態のトレー容器用蓋が望まれている。
【０００４】
本発明は、上記のような事情に鑑みてなされたものであり、その目的とするところは、フランジを有するトレー容器に簡単に被せることができる体裁がよく、省資源、低コストの要求にも対応できるトレー容器用簡易蓋を提供することにある。
【０００５】
【課題を解決するための手段】
上記目的を達成するため、本発明は、フランジ部を有するトレー容器に被せて使用されるトレー容器用簡易蓋であって、前記フランジ部の外周とほぼ同形の天面部とその両側に折れ線を介してそれぞれ連設された折り曲げ部とからなり、前記折れ線の中央部分には、前記トレー容器に被せた時に前記フランジ部の外周に対応する線に沿って左右切り込みを設け、前記折り曲げ部には、前記左右切り込みの両端は、前記フランジ部の外周に対応する線より前記折り曲げ部が一部分内側に入り込むように短い内方に膨らむ円弧状の切り込みによる引っ掛け部となっており、前記折り曲げ部を下向きに折り曲げた時に前記引っ掛け部が前記トレー容器の前記フランジを係止するような全体としての前記左右切り込みが末広がりのコの字状であることを特徴とするトレー容器用簡易蓋である。また、前記天面部において、前記トレー容器の前記フランジ部の上下端と対応する位置に、上下切り込みを設け、該上下切り込みの中央部に内側方向に向かった半円状の係止片を設けた形状であることを特徴としている。
【０００６】
本発明によれば、フランジを有するトレー容器に簡単に被せることができる体裁がよく、省資源、低コストの要求にも対応できるトレー容器用簡易蓋を得ることができる。
【０００７】
【発明の実施の形態】
以下、図面を参照して本発明の実施形態について説明する。
【０００８】
図１は本発明に係るトレー容器用簡易蓋を被せたトレー容器を示す斜視図である。トレー容器１０のフランジ部１２を引っ掛けて保持するようにトレー容器用簡易蓋１の両側部の折り曲げ部３、４を下方に折り曲げて引っ掛け部３ａ、４ａにより、トレー容器１０の四隅のフランジ部１２を係止している。さらに、トレー容器用簡易蓋１の上下部において、係止片７ａ、８ａにより、トレー容器１０の上下のフランジ部１２を係止している。
【０００９】
トレー容器１０は、図２に示すように、本体部１１の開口縁にフランジ部１２を有する一般的な容器であり、紙製あるいはプラスチック製であってもよく特に限定されるものではない。紙製の場合には、深絞り成形によるもの、組み立てて形成されたものがある。プラスチック製の場合には、真空成形、インジェクション成形などにより成形されたものがある。材料としては、ポリプロピレン、ポリスチレン等の熱可塑性樹脂を使用することができる。環境対応の観点からは、紙製のトレー容器１０と紙製のトレー容器用簡易蓋１との組合わせが好ましい。
【００１０】
トレー容器１０の形状としては、フランジ部１２を有しそのフランジ部１２の外周の形状が角丸の四角形、円形、楕円形であることが必要である。
【００１１】
図３は、トレー容器用簡易蓋１のブランクの展開図である。トレー容器用簡易蓋１のブランク１ａは、天面部２と、その天面部２の両側辺に折れ線ａ、ｂを介して左右の折り曲げ部３、４を連設した全体形状になっている。天面部２はトレー容器１０のフランジ部１２の外周より引っ掛け部３ａ、３ａ、４ａ、４ａを除いて縦方向でやや大きくなっている。そして、左右の折れ線ａ、ｂは、折り曲げ部３、４を折り曲げる上下端部だけであり、中央部分であるトレー容器１０のフランジ部１２の左右端に対応する位置には、切り込み５、６が設けられ、その切り込み５、６の両端にはトレー容器１０のフランジ部１２の外周より一部分入り込んだ短い切り込み５ａ、５ａ、６ａ、６ａが設けられており、これにより左右の切り込みαは全体に末広がりのコの字状になっている。
【００１２】
図３−ｂの波線Ｌはトレー容器１０のフランジ部１２の外周の位置を示しており、折れ線ａ、ｂは、切り込み５、６より内側に位置し、トレー容器１０に被せた時に、フランジ部１２の外周の外側に位置することになる。また、折り曲げ部３、４では、引っ掛け部３ａ、３ａ、４ａ、４ａの部分だけがフランジ部１２の外周の内側に入った位置となっている。
【００１３】
また、天面部２において、トレー容器１０のフランジ部１２の上下端と対応する位置には、切り込み７、８が設けられ、その切り込み７、８の中程には内側方向に向かって半円状の切り込みによる係止片７ａ、８ａが設けられており、これらの切り込みが上下切り込みβを形成している。
【００１４】
また、本発明のトレー容器用簡易蓋１に使用する材料としては、板紙単体、プラスチックシートなどがあげられる。あるいは、耐水性、耐油性を付与するために、内面あるいは外面にプラスチック層を設けた板紙を使用することもできる。使用する材料の例としては、板紙単体、ポリプロピレン（ＰＰ）シート、板紙／ポリエチレンテレフタレート（ＰＥＴ）、板紙／ポリプロピレン（ＰＰ）などがあげられる。なお、環境対応の観点からは、プラスチックの比率の少ない材料を使用することが好ましい。
【００１５】
上記のトレー容器用簡易蓋１をトレー容器１０に被せる手順は次のようである。
【００１６】
まず、天面部２をトレー容器１０のフランジ部１２の外周に合うように載せる。ついで、左右の折れ線ａ、ｂのところで左右の折り曲げ部３、４をそれぞれトレー容器１０の側面に向けて下向きに折り曲げる。この時、折線ａ、ｂの位置にある切り込み５、６の両端にある短い切り込み５ａ、６ａにより作られた折り曲げ部３、４の引っ掛け部３ａ、３ａ、４ａ、４ａにより、フランジ部１２の四隅を裏から引っ掛けて保持した状態となり、トレー容器用簡易蓋１がトレー容器１０のフランジ部１２に簡易的に係止される。
【００１７】
さらに、天面部２の上下部において、トレー容器１０のフランジ部１２の上下端と対応する位置に設けた切り込み７、８の中程の内側方向に向かって設けた半円状の切り込み７ａ、８ａを、トレー容器１０のフランジ部１２の上下端の裏側で止めることにより、フランジ部１２を係止するので、トレー容器１０の上下の動きが押さえられ係止状態とすることができる。このように、左右の折り曲げ部３、４を折り曲げるだけで、左右の動きを上下の図１に示す如くトレー容器用簡易蓋１がトレー容器１０をロック状態で被せた状態とすることができる。
【００１８】
【実施例】
つぎに、本発明のトレー容器用簡易蓋について、実施例をあげて説明する。
【００１９】
まず、トレー容器として、下記の条件で板紙を主とする材料を用いて深絞り成形により作製した。
形状：角丸長方形（フランジ部外周外寸  １４０ｍｍ×１９０ｍｍ）
内容量：２２０ｍｌ
フランジ部幅：７ｍｍ
材料構成：（内面）ＰＥＴ４０ミクロン／板紙２８０ｇ／ｍ2
【００２０】
つぎに、図２の展開図に示すようなブランクのトレー容器用簡易蓋を上記のトレー容器に合わせた形状で作製した。具体的には、図に示した波線にトレー容器のフランジ部の外周が合うような外周の形状のトレー容器用簡易蓋とし、材料としては、３２０ｇ／ｍ2の板紙を使用し、板紙の表面に絵柄、表示などを印刷し、打ち抜き工程により、ブランクに作製した。この打ち抜き工程において、左右切り込みα、上下切り込みβの加工も行った。
【００２１】
実際に、テイクアウト用に、トレー容器の中に内容物として惣菜を入れ、作製したトレー容器用簡易蓋を上から被せ、ついで、左右の折り曲げ部を下向きに折り曲げ、この折り曲げ部の引っ掛け部により、フランジ部１２の四隅を裏から引っ掛けることにより、トレー容器用簡易蓋がトレー容器のフランジ部に簡易的に係止された。
【００２２】
さらに、トレー容器用簡易蓋の天面部の上下部に設けた半円状の切り込みを、トレー容器のフランジ部の上下端の裏側で止めることにより、フランジ部を係止し、トレー容器の上下の動きが押さえられ係止することができた。このようにトレー容器用簡易蓋を簡単に被せることにより、トレー容器をロック状態で係止することができた。
【００２３】
【発明の効果】
以上説明したように、本発明のトレー容器用簡易蓋は、フランジを有するトレー容器に簡単に被せることができる蓋であって、天面部の両側の折り曲げ片を折り曲げるだけでロック状態とすることができ、体裁がよく、一枚のブランクから作製できることから製造コストが安く、低コストの要求にも対応できる。また、使用する紙の量が少ないので、省資源の観点から好ましいものである。さらには、天面部を有効に使って効果的なデザインを施すこともできる。
【図面の簡単な説明】
【図１】本発明に係るトレー容器用簡易蓋をトレー容器に被せた状態を示す斜視図である。
【図２】本発明に係るトレー容器用簡易蓋に組み合わされるトレー容器を示す斜視図である。
【図３】本発明に係るトレー容器用簡易蓋のブランクの展開図である。
【符号の説明】
１    トレー容器用簡易蓋
１ａ  ブランク
２    天面部
３    折り曲げ部
３ａ  引っ掛け部
４    折り曲げ部
４ａ  引っ掛け部
α    左右切り込み
５    切り込み
５ａ  切り込み
６    切り込み
６ａ  切り込み
β    上下切り込み
７    切り込み
７ａ  切り込み
８    切り込み
８ａ  切り込み
１０    トレー容器
１１    本体部
１２    フランジ部
ａ    折れ線
ｂ    折れ線
Ｌ    波線（トレー容器のフランジ部の外周線）
【図１】
0004844777.tif 000002
【図２】
0004844777.tif 000003
【図３】
0004844777.tif 000004